(57)【要約】【課題】  音響音楽機器と他の電子機器との間に入る通信手段を有する機器が、電力を確保しつつ音響音楽機器からのＭＩＤＩ方式のＩＮとＯＵＴの両方向で、音響音楽機器と他の電子機器との間で各種電子情報を授受することができる。【解決手段】  音響音楽機器のＭＩＤＩ出力端子に接続するためのドングル入力端子と、音響音楽機器のＭＩＤＩ入力端子に接続するためのドングル出力端子と、ドングル入力端子及びドングル出力端子を介して音響音楽機器と他の電子機器との間で各種電子情報を授受するための通信手段と、ドングル入力端子を介して、音響音楽機器からのＭＩＤＩ方式の信号ラインから電力を取り込み、通信手段に電力を供給すると共にドングル出力端子を介して音響音楽機器のＭＩＤＩ入力端子に電力を出力する電源回路とを備えることを特徴とする。【選択図】図２
2015179141.tif 000002
【特許請求の範囲】
【請求項１】
ＭＩＤＩ方式の信号形式を用いて、音響音楽機器が有する各種電子情報を他の電子機器との間で授受するための音響音楽機器用ドングル装置において、
該音響音楽機器のＭＩＤＩ出力端子に接続するためのドングル入力端子と、
該音響音楽機器のＭＩＤＩ入力端子に接続するためのドングル出力端子と、
該ドングル入力端子及び該ドングル出力端子を介して該音響音楽機器と他の電子機器との間で各種電子情報を授受するための通信手段と、
該ドングル入力端子を介して、該音響音楽機器からの該ＭＩＤＩ方式の信号ラインから電力を取り込み、該通信手段に電力を供給すると共に該ドングル出力端子を介して該音響音楽機器のＭＩＤＩ入力端子に電力を出力する電源回路とを備えることを特徴とする音響音楽機器用ドングル装置。
【請求項２】
前記電源回路が、
前記ドングル入力端子を介して、前記音響音楽機器からの前記ＭＩＤＩ方式の電源信号ラインから電力を取り込み、
取り込んだ電力を前記通信手段に供給すると共に、
前記ドングル出力端子を介して該音響音楽機器の前記ＭＩＤＩ入力端子の電源信号ラインに電力を供給することを特徴とする請求項１記載の音響音楽機器用ドングル装置。
【請求項３】
前記通信手段が、他の電子機器の通信手段との間でマスター側とスレイブ側とを切り換えるマスタースレイブ切換手段を有することを特徴とする請求項１又は請求項２記載の音響音楽機器用ドングル装置。
【請求項４】
前記通信手段が、他の電子機器の通信手段と相互に認証コードを交換してペアリングを行うペアリング手段を有し、
該ペアリング手段に設けられたペアリング開始スイッチが操作されたときに、該ペアリングを行うことを特徴とする請求項１〜請求項３のいずれかに記載の音響音楽機器用ドングル装置。
【請求項５】
前記電源回路が充電手段を有し、該電源回路が該充電手段の充放電を制御して電力を出力することを特徴とする請求項１〜請求項４のいずれかに記載の音響音楽機器用ドングル装置。
【請求項６】
前記通信手段が、無線手段であることを特徴とする請求項１〜請求項５いずれかに記載の音響音楽機器用ドングル装置。
【発明の詳細な説明】
【技術分野】
【０００１】
本発明は、ＭＩＤＩ方式の信号形式を用いて、音響音楽機器が有する各種電子情報を他の電子機器との間で授受するための音響音楽機器用ドングル装置に関する。
【背景技術】
【０００２】
従来より、音響音楽機器が有する各種電子情報を他の電子機器との間で授受するための信号形式として、ＭＩＤＩ（ｍｕｓｉｃａｌ  ｉｎｓｔｒｕｍｅｎｔ  ｄｉｇｉｔａｌ  ｉｎｔｅｒｆａｃｅ）方式が提案され、例えば電子楽器とコンピュータ等の情報処理端末とを電子的に接続することが行われている（特許文献１参照）。
【０００３】
従来のＭＩＤＩ方式における音響音楽機器と他の電子機器との接続の多くは、ケーブルが用いられている。また、それぞれの機器が独自に電源を有していることから、それぞれの機器の電力供給を意識する必要がない。
【先行技術文献】
【特許文献】
【０００４】
【特許文献１】特開平０７−４４１６９号公報
【発明の概要】
【発明が解決しようとする課題】
【０００５】
しかしながら、従来のＭＩＤＩ方式による接続形態においては、音響音楽機器と他の電子機器との接続にケーブルではなく無線手段のような通信手段を用いる場合、音響音楽機器と他の電子機器との間に入る機器が、電源を有しない又は電源を有することができないような小型の場合、その間に入る機器の電力を確保できないという問題があった。
【０００６】
本発明は、このような事情に鑑みてなされたもので、音響音楽機器と他の電子機器との間に入る通信手段を有する機器が、電源を有しない又は電源を有することができないような小型の場合であっても、電力を確保しつつ音響音楽機器からのＭＩＤＩ方式のＩＮとＯＵＴの両方向で、音響音楽機器と他の電子機器との間で各種電子情報を授受することができる音響音楽機器用ドングル装置を提供することにある。
【課題を解決するための手段】
【０００７】
請求項１記載の音響音楽機器用ドングル装置は、音響音楽機器のＭＩＤＩ出力端子に接続するためのドングル入力端子と、音響音楽機器のＭＩＤＩ入力端子に接続するためのドングル出力端子と、ドングル入力端子及びドングル出力端子を介して音響音楽機器と他の電子機器との間で各種電子情報を授受するための通信手段と、ドングル入力端子を介して、音響音楽機器からのＭＩＤＩ方式の信号ラインから電力を取り込み、通信手段に電力を供給すると共にドングル出力端子を介して音響音楽機器のＭＩＤＩ入力端子に電力を出力する電源回路とを備えることを特徴とする。
【０００８】
請求項２記載の音響音楽機器用ドングル装置は、電源回路が、ドングル入力端子を介して、音響音楽機器からのＭＩＤＩ方式の電源信号ラインから電力を取り込み、取り込んだ電力を通信手段に供給すると共に、ドングル出力端子を介して音響音楽機器のＭＩＤＩ入力端子の電源信号ラインに電力を供給することを特徴とする。
【０００９】
請求項３記載の音響音楽機器用ドングル装置は、通信手段が、他の電子機器の通信手段との間でマスター側とスレイブ側とを切り換えるマスタースレイブ切換手段を有することを特徴とする。
【００１０】
請求項４記載の音響音楽機器用ドングル装置は、通信手段が、他の電子機器の通信手段と相互に認証コードを交換してペアリングを行うペアリング手段を有し、ペアリング手段に設けられたペアリング開始スイッチが操作されたときに、ペアリングを行うことを特徴とする。
【００１１】
請求項５記載の音響音楽機器用ドングル装置は、電源回路が充電手段を有し、電源回路が充電手段の充放電を制御して電力を出力することを特徴とする。
【００１２】
請求項６記載の音響音楽機器用ドングル装置は、通信手段が、無線手段であることを特徴とする。
【発明の効果】
【００１３】
本願の発明によれば、ドングル入力端子を介して、音響音楽機器からのＭＩＤＩ方式の信号ラインから電力を取り込み、通信手段に電力を供給すると共にドングル出力端子を介して音響音楽機器のＭＩＤＩ入力端子に電力を出力することから、音響音楽機器と他の電子機器との間に入る通信手段を有する機器が、電源を有しない又は電源を有することができないような小型の場合であっても、電力を確保しつつ音響音楽機器からのＭＩＤＩ方式のＩＮとＯＵＴの両方向で、音響音楽機器と他の電子機器との間で各種電子情報を授受することができる。
【図面の簡単な説明】
【００１４】
【図１】本発明に係る音響音楽機器用ドングル装置に係るシステム構成の一例を示す構成図である。
【図２】同音響音楽機器用ドングル装置の構成の一例を示す構成図である。
【図３】同音響音楽機器用ドングル装置の構成の他の一例を示す構成図である。
【発明を実施するための形態】
【００１５】
以下、本発明の形態について図面を参照しながら具体的に説明する。図１は、本発明に係る音響音楽機器用ドングル装置に係るシステム構成の一例を示す構成図である。図２は、同音響音楽機器用ドングル装置の構成の一例を示す構成図である。図３は、同音響音楽機器用ドングル装置の構成の他の一例を示す構成図である。図１に示す一例であるシステム構成としては、音響音楽機器用ドングル装置１、音響音楽機器２及び携帯用電子機器８とでなっている。
【００１６】
図における音響音楽機器用ドングル装置１は、ＭＩＤＩ（ｍｕｓｉｃａｌ  ｉｎｓｔｒｕｍｅｎｔ  ｄｉｇｉｔａｌ  ｉｎｔｅｒｆａｃｅ）方式の信号形式を用いて、音響音楽機器２が有する各種電子情報を他の電子機器との間で授受するためのものである。音響音楽機器２としては、例えば、電子キーボード（電子オルガン）や電子ギターのような音楽機器や、エフェクター等の音楽や音響を処理できる電子機器で、ＭＩＤＩ方式の信号形式を介して各種電子情報を、他の電子機器と授受するためのＭＩＤＩ出力端子４とＭＩＤＩ入力端子６を有しているものである。
【００１７】
ＭＩＤＩ出力端子４とＭＩＤＩ入力端子６の信号形式としては、カレントループ形式のものであり、音響音楽機器２のＭＩＤＩ出力端子４に、音響音楽機器２からの電流供給がなされる電源信号ラインであるＶｍｉｄｉ線４ａ、Ｇｎｄ線４ｂ及び音響音楽機器２からの信号出力であるＯＵＴ線４ｃが内部的に接続されている。また、音響音楽機器２のＭＩＤＩ入力端子６は、ＭＩＤＩ出力端子４とは反対に、電源信号ラインであるＶｍｉｄｉ線６ａ、Ｇｎｄ線６ｂ及びＩＮ線６ｃが内部的に接続されている。
【００１８】
携帯用電子機器８は、音響音楽機器２との間で各種電子情報を授受する電子機器で、ＭＩＤＩ方式（ＭＩＤＩコード形式）の電子情報を電子的に授受可能なものである。また、携帯用電子機器８は、後述する音響音楽機器用ドングル装置１の通信手段である無線手段２０との間で、無線を用いてＭＩＤＩ方式の電子情報を授受できる機能を有している。通信可能な無線の形式は、後述する。尚、携帯用電子機器８は、ＭＩＤＩ方式（ＭＩＤＩコード形式）で音響音楽機器２が有する各種電子情報を授受することができる電子機器の一例であって、コンピュータやゲーム機等であってもよく、その形態によって制限されるものではない。また、本実施の形態では、ドングル入力端子１２及びドングル出力端子３２を介して各種電子情報を音響音楽機器２と携帯用電子機器８との間で授受するための通信手段として、無線手段２０を用いているが、無線的な手段に限定されるものではなく、例えばＵＳＢ方式でケーブルでの接続が可能な通信手段であってもよく、その形態によって制限されるものではない。
【００１９】
音響音楽機器用ドングル装置１は、ドングル入力側１０とドングル出力側３０との別体で構成され、ドングル入力側１０には音響音楽機器２のＭＩＤＩ出力端子４に接続されるドングル入力端子１２と、ドングル出力側３０には音響音楽機器２のＭＩＤＩ入力端子６に接続するためのドングル出力端子３２とを、それぞれ備えている。そして、ドングル入力側１０とドングル出力側３０のそれぞれの側が接続手段４０で接続されている。尚、本実施の形態の音響音楽機器用ドングル装置１では、ドングル入力側１０とドングル出力側３０とを別体で構成させているが、一体で構成することも可能である。
【００２０】
音響音楽機器用ドングル装置１は、ドングル入力側１０に、ドングル入力端子１２の他、電源回路１４、制御手段１８、無線手段２０等を備えている。電源回路１４は、ドングル入力端子１２からのＶｍｉｄｉ線１２ａ及びＧｎｄ線１２ｂが接続され、音響音楽機器２のＭＩＤＩ出力端子４の信号ラインであるＶｍｉｄｉ線４ａから電力を取り込む。そして、電源回路１４は、Ｖｍｉｄｉ線１２ａを介して得た電力を、Ｖｄｄ線１４ａ及びＧｎｄ１４ｂを介して制御手段１８や無線手段２０に供給している。
【００２１】
電源回路１４は、蓄電池やスーパーキャパシタ等の充電手段１６を有し、Ｖｍｉｄｉ線１２ａを介して得た電力を用いて、充電手段１６を充電可能である。そして、Ｖｍｉｄｉ線１２ａを介して得られる電力が少ないような場合には、充電手段１６を放電させて、必要な電力を制御手段１８や無線手段２０に供給するようにする。このように、電源回路１４が充放電の制御機能を有しまた充電手段１６を有することにより、電力の安定供給が可能になるが、充電手段１６及び電源回路１４における充放電の制御機能は必須ではない。また、電源回路１４に、Ｖｍｉｄｉ線１２ａからの電力の電圧を、制御手段１８等に好ましい電圧に昇圧したり降圧させるための機能を持たせ、安定的に電力を取り込めるようにしてもよい。
【００２２】
電源回路１４は、無線手段２０に電力を供給すると共に、ドングル出力端子３２（Ｖｍｉｄｉ線２８ａ、ドングル接続端子２８、Ｖｍｉｄｉ線４０ａ、Ｖｍｉｄｉ線３２ａを経由）を介して音響音楽機器２のＭＩＤＩ入力端子６のＶｍｉｄｉ線６ａに電力を出力している。すなわち、電源回路１４は、ドングル入力端子１２を介して、音響音楽機器２からのＭＩＤＩ方式の電源信号ラインであるＶｍｉｄｉ線１２ａから電力を取り込み、取り込んだ電力を通信手段である無線手段２０に供給すると共に、ドングル出力端子３２を介して音響音楽機器２のＭＩＤＩ入力端子６の電源信号ラインであるＶｍｉｄｉ線６ｂに電力を供給できる構成になっている。尚、音響音楽機器２のＶｍｉｄｉ線４ａの電圧及び電流が、そもそも無線手段２０やＶｍｉｄｉ線６ｂに供給するに適しているような場合には、電源回路１４に昇圧や降圧させたりするような回路が不要で、図３に示すように、電源回路１４を、単に、各Ｖｍｉｄｉ線を接続しただけの構成にすることも可能である。
【００２３】
制御手段１８は、ＣＰＵやＭＰＵのような電子機器を制御する一般的な装置で、本実施の形態の音響音楽機器用ドングル装置１では、電源回路１４から電力の供給を受けて動作し、無線手段２０や内部の機能として有する入出力手段１８ａ等の制御を行う。音響音楽機器２からの入力信号（信号線としては、ＯＵＴ線４ｃ及びＩＮ線１２ｃ）は、ドングル入力端子１２を介して、制御手段１８の入出力手段１８ａに届き、制御手段１８内部で、ＭＩＤＩ方式の電子情報として認識し、その電子情報を、無線手段２０に送り、無線手段２０で携帯用電子機器８に送信するように制御する。
【００２４】
また、無線手段２０で受信した携帯用電子機器８からの電子情報は、制御手段１８で認識し、入出力手段１８ａからＭＩＤＩ方式の電子情報として、ドングル出力側３０のドングル出力端子３２を介して、音響音楽機器２に送る。入出力手段１８ａから出る出力信号（信号線としてはＯＵＴ線２８ｃ）は、ドングル接続端子２８、ドングル間接続手段４０（信号線としてはＯＵＴ線４０ｃ）及びドングル接続端子３４を介してドングル出力側３０に至る。そして、出力信号は、ドングル出力側３０では、ドングル接続端子３４から、ＯＵＴ線３２ｃを介してドングル出力端子３２を経由して、音響音楽機器２のＭＩＤＩ入力端子６を介して、音響音楽機器２に入力される。
【００２５】
ドングル入力側１０には、制御手段１８により入出力制御されたペアリングスイッチ２２、ペアリング表示手段（ペアリングＬＥＤ）２４及びＭＩＤＩ送受信表示手段（ＭＩＤＩ  Ｔｘ／Ｒｘ  ＬＥＤ）２６が設けられている。ＭＩＤＩ送受信表示手段（ＭＩＤＩ  Ｔｘ／Ｒｘ  ＬＥＤ）２６は、音響音楽機器用ドングル装置１を介して、音響音楽機器２と携帯用電子機器８とが、ＭＩＤＩ方式の電子情報の授受を行っている状態をモニタするための表示であるが、必須ではない。
【００２６】
また、ペアリング開始スイッチであるペアリングスイッチ２２は、無線手段２０が、他の電子機器の無線手段と相互に認証コードを交換してペアリングを行うペアリング手段を機能させて、ペアリングを開始するためのペアリング開始スイッチでり、すなわち、ペアリングスイッチ２２が操作されたときに、ペアリングを行う。尚、ペアリングスイッチ２２は、機械的構造を有するスイッチでもよいし、ホール素子を用いてマグネットでＯＮ／ＯＦＦするものであってもよく、その形態によって制限されるものではない。本実施の形態の音響音楽機器用ドングル装置１では、ペアリング手段を制御手段１８から無線手段２０を制御することにより機能を実現している。ペアリング表示手段（ペアリングＬＥＤ）２４は、ペアリング手段でのペアリングがなされているかを表示するためのモニターである。尚、このペアリング手段、ペアリング開始スイッチであるペアリングスイッチ２２及びペアリング表示手段（ペアリングＬＥＤ）２４は、無線手段２０の形式等によっては必ずしも必要ではない。
【００２７】
尚、本実施の形態の音響音楽機器用ドングル装置１では、通信手段である無線手段２０等の制御のために制御手段１８を設けているが、無線手段２０が、各種信号の制御等を行う能力を有していたりするような場合には制御手段１８が不要な場合もあり、制御手段１８自体は必須ではない。
【００２８】
無線手段２０は、ドングル入力端子１２を介して取り込んだ音響音楽機器２からの電子情報を他の電子機器である携帯用電子機器８に対して無線送信すると共に、他の電子機器である携帯用電子機器８から受信した電子情報を、ドングル出力端子３２を介して、音響音楽機器２に送るためのものである。無線手段２０及び無線手段で取り扱える信号形式は、必ずしもＭＩＤＩ方式である必要はなく、制御手段１８又は無線手段２０の内部で、携帯用電子機器８との間で授受した各種の電子情報をＭＩＤＩ形式に変換して、音響音楽機器２との間でＭＩＤＩ方式の信号形式でやりとりができればよい。
【００２９】
尚、無線手段２０の無線形式としては、例えば、Ｂｌｕｅｔｏｏｔｈ（登録商標）や無線ＬＡＮ方式等を用いることができるが、その方式により制限されるものではない。さらに、本願の中では、無線手段という用語を用いているが、この無線手段とは非接触方式で各種の電子情報を授受できる手段を広く含むものであり、例えば、光による方式や磁気的な方式によるもの等も含む。
【００３０】
また、制御手段１８が無線手段２０を制御して、または無線手段２０が単独で、他の電子機器である携帯用電子機器８の無線手段との間でマスター側とスレイブ側とを切り換えるマスタースレイブ切換手段としての機能を、制御手段１８又は無線手段２０に設けることもできる。
【００３１】
以上のような構成の音響音楽機器用ドングル装置１によれば、音響音楽機器２と他の電子機器である携帯用電子機器８との間に入る通信手段を有する機器が、電源を有しない又は電源を有することができないような小型の場合であっても、電力を確保しつつ音響音楽機器２からのＭＩＤＩ方式のＩＮとＯＵＴの両方向で、音響音楽機器２と携帯用電子機器８との間で各種電子情報を授受することができる。
【００３２】
尚、本願では、音響音楽機器２が各種電子情報を授受する相手方として、他の電子機器である携帯用電子機器８等の音響音楽機器ではないもののように説明しているが、ＭＩＤＩ方式の信号形式を扱える音響音楽機器自体が電子機器の一種であり、他の電子機器には当然に音響音楽機器も含まれる。この一例としては、２台の音響音楽機器にそれぞれ音響音楽機器用ドングル装置１を装着し、２つの音響音楽機器用ドングル装置１を介して、音響音楽機器間で電子情報の授受を行う場合である。この場合には、２台の音響音楽機器をケーブルで接続する必要がなく、音響音楽機器の配置の自由度が増すことになる。
【００３３】
また、上述では、ドングル入力側１０に電源回路１４、制御手段１８、無線手段２０等を設けているが、ドングル入力側１０のみでの形態以外のドングル入力側１０及びドングル出力側３０を同時に備える（上述の形態）又は一体で備える場合には、電源回路１４、制御手段１８、無線手段２０等のすべて又は一部をドングル出力側３０に設けることも可能である。
【００３４】
さらに、他の電子機器の無線手段との間でマスター側とスレイブ側とを切り換えるマスタースレイブ切換手段を設けたり、他の電子機器の無線手段と相互に認証コードを交換してペアリングを行うペアリング手段を設けることで、無線手段同士での通信を円滑に行う助けとなり、操作性を向上させることができる。
【産業上の利用可能性】
【００３５】
以上のように、本発明によれば、音響音楽機器と他の電子機器との間に入る通信手段を有する機器が、電源を有しない又は電源を有することができないような小型の場合であっても、電力を確保しつつ音響音楽機器からのＭＩＤＩ方式のＩＮとＯＵＴの両方向で、音響音楽機器と他の電子機器との間で各種電子情報を授受することができる音響音楽機器用ドングル装置を提供することができる。
【符号の説明】
【００３６】
１・・・・・音響音楽機器用ドングル装置
２・・・・・音響音楽機器
４・・・・・ＭＩＤＩ出力端子
４ａ・・・・Ｖｍｉｄｉ線
４ｂ・・・・Ｇｎｄ線
４ｃ・・・・ＯＵＴ線
６・・・・・ＭＩＤＩ入力端子
６ａ・・・・Ｖｍｉｄｉ線
６ｂ・・・・Ｇｎｄ線
６ｃ・・・・ＩＮ線
８・・・・・携帯用電子機器
１０・・・・ドングル入力側
１２・・・・ドングル入力端子
１２ａ・・・Ｖｍｉｄｉ線
１２ｂ・・・Ｇｎｄ線
１２ｃ・・・ＩＮ線
１４・・・・電源回路
１４ａ・・・Ｖｄｄ線
１４ｂ・・・Ｇｎｄ線
１６・・・・充電手段
１８・・・・制御手段
１８ａ・・・入出力手段
２０・・・・無線手段
２２・・・・ペアリングスイッチ
２４・・・・ペアリング表示手段
２６・・・・ＭＩＤＩ送受信表示手段
２８・・・・ドングル接続端子
２８ａ・・・Ｖｍｉｄｉ線
２８ｂ・・・Ｇｎｄ線
２８ｃ・・・ＯＵＴ線
３０・・・・ドングル出力側
３２・・・・ドングル出力端子
３２ａ・・・Ｖｍｉｄｉ線
３２ｂ・・・Ｇｎｄ線
３２ｃ・・・ＯＵＴ線
３４・・・・ドングル接続端子
４０・・・・トングル間接続手段
４０ａ・・・Ｖｍｉｄｉ線
４０ｂ・・・Ｇｎｄ線
４０ｃ・・・ＯＵＴ線
【図１】
2015179141.tif 000003
【図２】
2015179141.tif 000004
【図３】
2015179141.tif 000005